(57)【要約】【課題】電車に乗っている際に広告を見たり聞いたりした人に対して確実に料金を割引くようにする。【解決手段】ＩＣカードによる認証を行なう改札装置において、このＩＣカード１１の機能を携帯型音声再生機１０に取込み、この音声再生機１０で出札確認を行なうようにし、入札時に認証と同時に広告データを送信して機器１０に取込ませる。そして広告を使用者が出札するまでに再生した場合に、改札機がそのことを確認して乗車賃の一部を割引くものである。【選択図】　図１
2004021330.tif 000002
【特許請求の範囲】
【請求項１】
ＩＣカード機能を有する記録媒体によって認証を行なう改札システムにおいて、
前記記録媒体を用いて改札機で認証を行なって入る際に前記記録媒体に広告データを書込むとともに、
前記記録媒体に書込まれた広告データを視聴した場合にそのことを前記記録媒体に記憶させておき、
前記記録媒体を用いて改札機で認証を行なって出る際に前記記録媒体に前記広告データを視聴したことが記憶されていた場合に料金を割引くことを特徴とする広告配信方法。
【請求項２】
音声再生機に設けられている記録媒体に広告データを書込み、該音声再生機で広告データを音声として出力して聞くことを特徴とする請求項１に記載の広告配信方法。
【請求項３】
映像再生機に設けられている記録媒体に広告データを書込み、該映像再生機で広告データを映像として出力して見ることを特徴とする請求項１に記載の広告配信方法。
【請求項４】
音声再生機に対して着脱自在な記録媒体に広告データを書込み、前記記録媒体を前記音声再生機に装着して広告データを音声として出力して聞くことを特徴とする請求項１に記載の広告配信方法。
【請求項５】
映像再生機に対して着脱自在な記録媒体に広告データを書込み、前記記録媒体を前記映像再生機に装着して広告データを映像として出力して見ることを特徴とする請求項１に記載の広告配信方法。
【請求項６】
ＩＣカード機能を有する記録媒体によって認証を行なう認証システムにおいて、
前記記録媒体を用いて認証機で認証を行なう際に前記記録媒体に広告データを書込むとともに、
前記記録媒体に書込まれた広告データを視聴したことが決済のための認証時に確認された場合に料金を割引くことを特徴とする広告配信方法。
【請求項７】
ＩＣカード機能を有する記録媒体を用いて入札および出札の認証を行なう改札機において、
入札時に前記記録媒体に広告データを送信する送信装置と、
前記記録媒体に書込まれた広告データが視聴されたかどうかを出札時に確認する確認手段と、
前記確認手段によって視聴されたことが確認された場合に料金の割引を行なう割引手段と、
を具備する広告配信装置。
【請求項８】
前記送信手段は無線で前記記録媒体との間で情報の授受を行なうことを特徴とする請求項７に記載の広告配信装置。
【発明の詳細な説明】
【０００１】
【発明の属する技術分野】
本発明は広告配信方法および広告配信装置に係り、とくにＩＣ（Ｉｎｔｅｇｒａｔｅｄ　Ｃｉｒｃｕｉｔ、集積回路）カード機能を有する記録媒体によって認証を行なうようにした改札システムあるいは認証システムにおける広告配信方法および広告配信装置に関する。
【０００２】
【従来の技術】
鉄道の駅の改札業務の自動化および省力化を目的として、自動改札装置が採用されている。自動改札装置は磁気カードあるいはＩＣカードを改札機の内部あるいは上部を通過させる際に認証を行なうようにしたものであって、認証の内容に応じてゲートを開いたり閉じたりし、これによって利用者の通行を許容したり遮断したりする。
【０００３】
例えば特開２０００−２５９８６９号公報には、自動改札装置によって改札処理を行なった際に、利用内容、つまり処理内容をＩＣカードの表示部に表示し、またこのＩＣカードを使って物品の購入を行なった場合も、同様に必要内容を表示するようにし、これによって利用した内容を簡単に認知できるようにした無線式改札システムが提案されている。
【０００４】
【発明が解決しようとする課題】
従来のＩＣカードを用いた改札システムにおいては、切符や定期それ本来の機能の認証のみしか行なっていない。一方で改札を通過して鉄道車両に乗った客は、車両内で場合によっては吊下げ広告等を見る。ところが一般に広告はたまたまそこにあるから見るのであって、予め特定の意図をもって吊下げ広告等を見る人はほとんどいない。従って吊下げ広告等の広告主は、どれだけの人が広告を見たか分らず、その効果が確認できないままに広告料を支払うことになる。あるいはまたＩＣカードの電子マネーを利用して購買を行なう時にも、従来は金額の差引きのみしか行なっていなかった。
【０００５】
本発明はこのような問題点に鑑みてなされたものであって、効果的かつ確実に広告の配信が行なわれるようにした広告配信方法および広告配信装置を提供することを目的とする。
【０００６】
【課題を解決するための手段】
本願の主要な発明は、ＩＣカード機能を有する記録媒体によって認証を行なう改札システムにおいて、
前記記録媒体を用いて改札機で認証を行なって入る際に前記記録媒体に広告データを書込むとともに、
前記記録媒体に書込まれた広告データを視聴した場合にそのことを前記記録媒体に記憶させておき、
前記記録媒体を用いて改札機で認証を行なって出る際に前記記録媒体に前記広告データを視聴したことが記憶されていた場合に料金を割引くことを特徴とする広告配信方法に関するものである。
【０００７】
ここで音声再生機に設けられている記録媒体に広告データを書込み、該音声再生機で広告データを音声として出力して聞くことができる。あるいは映像再生機に設けられている記録媒体に広告データを書込み、該映像再生機で広告データを映像として出力して見ることができる。また音声再生機に対して着脱自在な記録媒体に広告データを書込み、前記記録媒体を前記音声再生機に装着して広告データを音声として出力して聞くことができる。さらには映像再生機に対して着脱自在な記録媒体に広告データを書込み、前記記録媒体を前記映像再生機に装着して広告データを映像として出力して見ることが可能である。
【０００８】
本願のさらに別の主要な発明は、ＩＣカード機能を有する記録媒体によって認証を行なう認証システムにおいて、
前記記録媒体を用いて認証機で認証を行なう際に前記記録媒体に広告データを書込むとともに、
前記記録媒体に書込まれた広告データを視聴したことが決済のための認証時に確認された場合に料金を割引くことを特徴とする広告配信方法に関するものである。
【０００９】
広告配信装置に関する主要な発明は、ＩＣカード機能を有する記録媒体を用いて入札および出札の認証を行なう改札機において、
入札時に前記記録媒体に広告データを送信する送信装置と、
前記記録媒体に書込まれた広告データが視聴されたかどうかを出札時に確認する確認手段と、
前記確認手段によって視聴されたことが確認された場合に料金の割引を行なう割引手段と、
を具備する広告配信装置に関するものである。ここで前記送信手段は無線で前記記録媒体との間で情報の授受を行なうことが好適である。
【００１０】
本願に含まれる発明の好ましい態様は、電子マネーとして使用できるＩＣカード機能を、携帯型の音声映像再生機と組合わせるようにし、ＩＣカード機能を有する再生機は送受信機、すなわち駅の改札機や金銭受領機等と無線で通信を行なうようにし、音声や映像のデジタルデータから成る広告データを音楽映像再生機に取込むことによって、ユーザが上記の広告データを音声あるいは映像によって視聴することができるようにしたものである。ユーザが広告を視聴したことを再生機器が記憶し、視聴した行為をもって割引を適用する。なお割引額は広告主から徴収されるようになる。
【００１１】
このような態様によると、広告主は特定されたユーザに対して広告を発信することができる。よって広告効果が発揮し易く、広告費の削減も見込まれる。ユーザは音楽映像再生機によって音楽を聞いている合間に広告を見聞きするだけで割引が適用されるようになる。しかも駅や店舗から直接広告データを受信するために、その地域に密接に関連した広告データをユーザに伝えることができるようになる。
【００１２】
【発明の実施の形態】
以下本発明を図示の実施の形態によって説明する。図１はＩＣカード機能を有する携帯式音声再生機１０を示す。この音声再生機１０は偏平な直方体状の筐体を備え、しかもこの筐体の前面側の部分にＩＣカード１１の機能が埋設されている。ＩＣカード１１はループアンテナ１２を備え、このループアンテナ１２によって無線で改札機との間で信号の授受を行なうようになっている。また筐体の上部にイヤホンジャック１３が設けられ、プラグ１４によってヘッドホン１５に接続されるようになっている。
【００１３】
図２はＩＣカード２３が着脱自在に装着される携帯式映像再生機２０を示している。この映像再生機２０は偏平な直方体状をなす筐体を備え、その前面側に表示パネル２１が設けられている。また再生機２０の上部には細長い挿入スロット２２が形成され、このスロット２２に対してＩＣカード２３が着脱自在に挿入されるようになっている。ＩＣカード２３はその内部にＩＣメモリを備えるとともに、ループアンテナ２４によって無線で改札機との間での信号の授受を行なうようにしている。
【００１４】
なお図１に示す音声再生機１０に代えて映像再生機２０の外筐の部分にＩＣカード１１を埋設して取付けるようにしてもよい。あるいはまた図２に示す映像再生機２０に代えて音声再生機１０に対して着脱自在にＩＣカード２３を装着するようにしてもよい。
【００１５】
図３は図１に示す携帯式音声再生機１０のシステム構成を示しており、この再生機１０はＣＰＵ３０を備えるとともに、ＣＰＵ３０には表示デバイス３１、キー操作部３２、Ｄ／Ａ変換器３３が接続される。なおＤ／Ａ変換器３３はデジタル信号から成る音声信号をアナログ信号に変換してヘッドホン３４に供給するものである。さらにＣＰＵ３０には送受信回路３５が接続される。この送受信回路３５にはループアンテナ１２が接続される。
【００１６】
またＣＰＵ３０に対するデータの授受を行なうために内部バス３６が設けられている。この内部バス３６にはフラッシュメモリ３７、ＲＯＭ３８、視聴データＲＡＭ３９、外部メモリインターフェイス４０がそれぞれ接続されている。
【００１７】
図４に示す構成はＩＣカード２３を着脱自在にした携帯式映像再生機２０の内部のシステム構成を示している。ここではＣＰＵ３０にコネクタ４３を介してＩＣカード２３側のＣＰＵ４４が接続される。そしてＣＰＵ４４にはフラッシュメモリ４５と送受信回路３５とが接続される。送受信回路３５にはさらにループアンテナ１２が接続される。なおそれ以外の構成は図３に示す構成と同一である。
【００１８】
次に図１に示す携帯式音声再生機１０のＩＣカード１１あるいは図２に示す携帯式映像再生機２０に着脱自在なＩＣカード２３が使用される改札機のシステム構成を図５によって説明する。この改札機はＣＰＵ５０を備え、ＣＰＵ５０には送受信回路５１が接続される。そして送受信回路５１にアンテナ５２が接続されるとともに、ＣＰＵ５０にはさらに改札ゲート開閉制御装置５３と改札通過センサ５４とが接続される。またＣＰＵ５０に対するデータのアクセスを可能にするデータバス５５が設けられる。データバス５５にはＲＯＭ５６、広告データ一時格納用ＲＡＭ５７、ネットワーク送受信回路５８がそれぞれ接続される。そしてネットワーク送受信回路５８はネットワーク５９を介して視聴者データ集計サーバ６０および広告データサーバ６１に接続される。
【００１９】
次にこのような図３に示す携帯式音声再生機１０あるいは図４に示す携帯式映像再生機２０によって広告を配信する動作を説明する。図６に示すように携帯式音声再生機１０あるいはＩＣカード２３を持った人が改札機の検出部を通過する際に、入口側改札ゲートの部分で改札を通過したかどうかの判断が行なわれる。そして改札を通過した場合には改札機の広告データ一時格納ＲＡＭ５７に格納されていた広告データが図５に示すＣＰＵ５０、送受信回路５１およびアンテナ５２によって携帯式音声再生機１０のＩＣカード１１あるいは携帯式映像再生機２０のＩＣカード２３に伝達され図３あるいは図４のフラッシュメモリ３７、４５に書込まれる。
【００２０】
従って改札口を通過して電車に乗った後に、図１の携帯式音声再生機１０によってヘッドホン１５で直接広告を聞くか、図２のＩＣカード２３を携帯式映像再生機２０の挿入スロット２２に挿入して映像を表示パネル２１によって見ると、このような広告を視聴したことがＩＣカード１１のフラッシュメモリ３７、４５に蓄積される。そして出口側改札ゲートを通過した場合に、上記ＩＣカード１１、２３のフラッシュメモリ３７、４５に蓄えられたデータが図５に示す送受信回路５１およびＣＰＵ５０を通して広告データ一時格納用ＲＡＭ５７に書込まれる。さらに上記改札ゲートを通過する際に、ＩＣカード１１あるいは再生機２０の視聴データＲＡＭ３９に書込まれた内容がＩＣカード１１、２３側の送受信回路３５およびアンテナ１２を通して改札機側の送受信回路５１からＣＰＵ５０に送られ、広告視聴情報受信記録が広告データ一時格納用ＲＡＭ５７に記憶される。
【００２１】
従って上記広告視聴情報の受信によって、広告の視聴があったかどうかの判断を行なう。そして広告の視聴があった場合には運賃の割引信号が図５に示す改札機側の送受信回路５１およびアンテナ５２を通してＩＣカード１１、２３の送受信回路３５に送信される。するとＣＰＵ３０はこの情報によってＩＣ残高の変更を行なう。すなわち広告を視聴した場合に、その相当する額を割引して残高の変更を行なう。
【００２２】
このように本実施の形態によれば、音声再生機１０あるいは映像再生機２０にＩＣカード機能を取込んでおく。一方改札機には広告データ一時格納用ＲＡＭ５７を利用して広告データを保存しておく。なおこの広告データはネットワーク送受信回路５８によってネットワーク５９を通して取込まれる。
【００２３】
改札通過時に図１に示す携帯式音声再生機１０を直接、あるいは携帯式映像再生機２０のＩＣカード２３を改札機の検出部にかざすことによって、改札機器は運賃認証と同時に広告データを再生機１０あるいはＩＣカード２３に送信する。ユーザが次に改札を通過するまでの間にその広告を聞くか見る行為をした段階で、再生機１０内部に視聴済み情報を保存しておく。そして出札時に視聴済み情報があることが改札機の検出部によって検出されると、規定運賃から相当する額の割引を行なう。広告主はこの相当する割引額を鉄道輸送会社に支払う。鉄道輸送会社はその広告の視聴率の情報を広告主へ還元することになる。
【００２４】
なおこのようなシステムにおいて、ＩＣカード１１、２３に住所、年齢、興味のデータを入れることで、その広告の視聴情報を広告主に還元して反映させることが可能になる。逆に広告データの送信時に、改札通過時のＩＣカード１１、２３に対するアクセスによって得られるユーザ情報から改札機器が自動的に広告を選択するとともに、ユーザ情報に応じた広告データを送信することによって、広告ターゲットの特化が可能になる。
【００２５】
なお図１に示すような音声再生機のみならず、図２に示すような携帯型映像再生機においてもほぼ同一のシステムを構築することができる。また改札システムのみならず、電子マネーによるＩＣカードへの展開も可能である。この場合には、電子マネーを使用した店舗の広告を支払い時に機器に送信すればよい。そして次回に同一店舗または同一チェーン店内において、電子マネーを使用するまでに、その広告の内容を見たり聞いたりしたことが確認できたならば、広告料に相当する割引が適用されるようになる。
【００２６】
以上本願に含まれる発明を図示の実施の形態によって説明したが、本願に含まれる発明は上記実施の形態によって限定されることなく、本願に含まれる発明の技術的思想の範囲内で各種の変更が可能である。
【００２７】
【発明の効果】
本願の主要な発明は、ＩＣカード機能を有する記録媒体によって認証を行なう改札システムにおいて、記録媒体を用いて改札機で認証を行なって入る際に記録媒体に広告データを書込むとともに、記録媒体に書込まれた広告データを視聴した場合にそのことを記録媒体に記憶させておき、記録媒体を用いて改札機で認証を行なって出る際に記録媒体に広告データを視聴したことが記憶されていた場合に料金を割引くようにしたものである。
【００２８】
従ってこのような広告配信方法によれば、意図的に広告内容を視聴した者に対して確実に料金を割引くことが可能になり、広告の効果が確実でしかも広告費の削減が可能になる。
【００２９】
本願の別の主要な発明は、ＩＣカード機能を有する記録媒体によって認証を行なう認証システムにおいて、記録媒体を用いて認証機で認証を行なう際に記録媒体に広告データを書込むとともに、記録媒体に書込まれた広告データを視聴したことが決済のための認証時に確認された場合に料金を割引くようにしたものである。
【００３０】
従ってこのような広告配信方法によれば、広告データを意図的に見た人に対して、決済のための認証時に広告を見たことを確認してその料金を割引くことが可能になり、特定されたユーザに対して広告を効果的に発信することが可能になる。
【００３１】
広告配信装置に関する主要な発明は、ＩＣカード機能を有する記録媒体を用いて入札および出札の認証を行なう改札機において、入札時に記録媒体に広告データを送信する送信装置と、記録媒体に書込まれた広告データが視聴されたかどうかを出札時に確認する確認手段と、確認手段によって視聴されたことが確認された場合に割引を行なう割引手段と、を具備するようにしたものである。
【００３２】
従ってこのような配信装置によれば、入札時に記録媒体に広告データが書込まれるとともに、この広告データを視聴したときにはそのことが出札時に確認手段によって確認され、このような確認に応じて割引手段で料金が割引かれるようになり、広告を見た人に対して確実に割引を行なうことが可能な広告配信装置が提供される。
【図面の簡単な説明】
【図１】携帯式音声再生機の外観斜視図である。
【図２】携帯式映像再生機の外観斜視図である。
【図３】携帯式音声再生機のシステム構成を示すブロック図である。
【図４】携帯式映像再生機のシステム構成を示すブロック図である。
【図５】改札機のシステム構成を示すブロック図である。
【図６】広告の配信および料金の割引の動作を示すフローチャートである。
【符号の説明】
１０‥‥携帯式音声再生機、１１‥‥ＩＣカード、１２‥‥ループアンテナ、１３‥‥イヤホンジャック、１４‥‥プラグ、１５‥‥ヘッドホン、２０‥‥携帯式映像再生機、２１‥‥表示パネル、２２‥‥挿入スロット、２３‥‥ＩＣカード、２４‥‥ループアンテナ、３０‥‥ＣＰＵ、３１‥‥表示デバイス、３２‥‥キー操作部、３３‥‥Ｄ／Ａ変換器、３４‥‥ヘッドホン、３５‥‥送受信回路、３６‥‥内部バス、３７‥‥フラッシュメモリ、３８‥‥ＲＯＭ、３９‥‥視聴データＲＡＭ、４０‥‥外部メモリインターフェイス、４３‥‥コネクタ、４４‥‥ＣＰＵ、４５‥‥フラッシュメモリ、５０‥‥ＣＰＵ、５１‥‥送受信回路、５２‥‥アンテナ、５３‥‥改札ゲート開閉制御装置、５４‥‥改札通過センサ、５５‥‥データバス、５６‥‥ＲＯＭ、５７‥‥広告データ格納用ＲＡＭ、５８‥‥ネットワーク送受信回路、５９‥‥ネットワーク、６０‥‥視聴者データ集計サーバ、６１‥‥広告データサーバ
【図１】
2004021330.tif 000003
【図２】
2004021330.tif 000004
【図３】
2004021330.tif 000005
【図４】
2004021330.tif 000006
【図５】
2004021330.tif 000007
【図６】
2004021330.tif 000008